(57)【特許請求の範囲】
【請求項１】
上面に第１開口を有し、釣餌及び海水を収容し得るバケツ本体と、
上記第１開口の周縁部の一部にヒンジを介して結合され、該第１開口を開閉する第１蓋部材とを備え、
上記第１蓋部材は、上記バケツ本体に収容された釣餌及び海水のうち海水のみを通過させる通水部を有し、該通水部は、少なくとも上記ヒンジの近傍に配置されている釣用バケツ。
【請求項２】
上記第１蓋部材は、スライドファスナーを介して上記第１開口の周縁部に連結されている請求項１に記載の釣用バケツ。  
【請求項３】
上記通水部は、上記第１蓋部材に複数の貫通孔が設けられることにより構成されている請求項１または２に記載の釣用バケツ。
【請求項４】
上記通水部は、
上記第１蓋部材に設けられ、釣餌及び海水を排出し得る第２開口と、
上記第２開口を封止する通水性シート材とを備えている請求項１または２に記載の釣用バケツ。
【請求項５】
上記通水性シート材は、釣餌及び海水のうち海水のみを通過させるメッシュ構造若しくはスリット構造を備えている請求項４に記載の釣用バケツ。
【請求項６】
上記第１蓋部材に設けられ、上記第２開口を開閉する第２蓋部材を更に備えている請求項４または５に記載の釣用バケツ。
【請求項７】
上記第２蓋部材の外面における上記ヒンジ側の端部付近に設けられた第１係合部と、
上記第１蓋部材の外面における上記ヒンジと対向する側の端部付近に設けられ、上記第１係合部と係合解除可能に係合し得る第１被係合部と、
上記第１蓋部材の内面における中央部付近に設けられ、上記第１係合部と係合解除可能に係合し得る第２被係合部とを更に備えている請求項６に記載の釣用バケツ。
【請求項８】
上記第２蓋部材の上記ヒンジ側の端部から延出された舌状片と、
上記舌状片の先端部に設けられた第２係合部と、
上記バケツ本体の上記ヒンジ側の側面に設けられ、上記第２係合部と係合解除可能に係合し得る第３被係合部とを更に備えている請求項７に記載の釣用バケツ。
【請求項９】
上記第１係合部及び第２係合部は、スタッド部を有する雄ボタンまたは該スタッド部と係合するソケット部を有する雌ボタンのうちいずれか一方であり、
上記第１被係合部、第２被係合部及び第３被係合部は、スタッド部を有する雄ボタンまたは該スタッド部と係合するソケット部を有する雌ボタンのうちいずれか他方である請求項７または８に記載の釣用バケツ。
【請求項１０】
上記第１係合部及び第２係合部と、上記第１被係合部、第２被係合部及び第３被係合部とは、それぞれ異なる色に着色されている請求項７から９のいずれかに記載の釣用バケツ。
【請求項１１】
上記バケツ本体において上記ヒンジが設けられた側の側面に対向する側面の外側に、把手が設けられている請求項１から１０のいずれかに記載の釣用バケツ。
【発明の詳細な説明】
【技術分野】
【０００１】
本発明は、魚釣りの際に使用される釣用バケツの構造に関する。
【背景技術】
【０００２】
例えば、撒き餌を使用するウキ釣りにおいては、釣人は、必要な量の撒き餌をバッカンと称される釣用バケツに収容する。餌を撒くときには、柄杓等を用いて釣用バケツから撒き餌を掬い出して所定のポイントへ投げ入れる。図１２は、従来の釣用バケツの斜視図である（例えば特許文献１及び特許文献２を参照）。
【０００３】
図１２が示すように、従来の釣用バケツ１３０は、合成樹脂からなるバケツ本体１３１と、バケツ本体１３１の両側面１３２に取り付けられた一対の把手１３３と、バケツ本体１３１の上面に設けられた蓋１３６とを有する。バケツ本体１３１は、直方体の容器状に形成されており、その上面に開口を有する。このバケツ本体１３１の内部にオキアミ等の撒き餌が収容される。バケツ本体１３１の開口を閉塞するように蓋１３６が設けられている。この蓋１３６は、図示するように、バケツ本体１３１の開口周縁にファスナー１３７で連結可能となっている。把手１３３は、例えば、ポリエチレン（ＰＥ）やエチレン酢酸ビニル共重合体（ＥＶＡ）等により構成されている。把手１３３は、取付用ステー１３４を介してバケツ本体１３１に取り付けられている。把手１３３の基端部１３８は取付用ステー１３４に設けられたボス部１３５に嵌め込まれており、当該把手１３３はボス部１３５を中心に回動自在となっている。
【０００４】
従来より、魚釣りに用いられる撒き餌としては、冷凍された生のオキアミなどに集魚剤や海水などを混ぜ合わせた所謂混合餌が主流である。釣人は、実釣時の天候や気温、魚影密度などに応じて、自らの経験に基づいて、加える集魚剤や海水の量を調整する。
【０００５】
また、ボイルされたオキアミ（以下「ボイルオキアミ」と称される。）のみを撒き餌として用いる場合もある。このボイルオキアミのみを使用して行う釣法は、通称、ボイル釣法と呼ばれている。このボイル釣法は、集魚剤を含む上記混合餌を用いた釣法と比べて、撒き餌とサシエとの沈下速度の差が小さいためサシエと撒き餌との同調性に優れており、しかも、集魚剤を用いないため海水や釣り場を汚さず、環境に優しいという点で、近年注目されている。
【０００６】
ところで、釣り場では、急に雨が降ったり、強風に煽られて波が高くなることも珍しくなく、実釣中に釣用バケツに雨水や海水等が入り、撒き餌が水浸しになることもしばしばある。また、上述の混合餌を作る際に、誤って海水を入れ過ぎることもある。このような場合、釣人は、釣用バケツを傾けて海水を排出しなければならない。このとき、海水とともに撒き餌も排出されるという問題が生じ得る。かかる問題を解決可能な釣用バケツとして、本願出願人が先に出願した特許文献２に記載の釣用バケツが公知である。この釣用バケツは、蓋にメッシュ構造の窓部が備えられたものである。当該釣用バケツを用いれば、釣用バケツを傾けるだけで撒き餌を釣用バケツ内に留めた状態で海水のみを排出することができる。
【０００７】
【特許文献１】特開２００１−１９０１９８号公報
【特許文献２】特開２００５−３０４３０１号公報
【発明の開示】
【発明が解決しようとする課題】
【０００８】
しかしながら、特許文献２に記載の釣用バケツは、蓋とバケツ本体とをファスナーで完全に連結しなければ蓋に設けられた窓部による水切りを行うことができない。したがって、仮に、適度な水加減の撒き餌を必要とする場合は、適量の海水を釣用バケツに残すようにして水切りを行わなければならない。この場合、バケツ本体内の海水の量を確認しながら排水するには、水切り作業を行う度に蓋を開け閉めしなければならず、はなはだ面倒である。
【０００９】
また、上記したボイル釣法で用いられるボイルオキアミには、ボイル時に体内に気泡が進入した個体が含まれている。そのため、市販のボイルオキアミをそのままの状態で撒き餌として用いると、気泡を含む個体が海面に浮き上がる。海面を浮き漂う撒き餌は、カモメ等の海鳥を寄せ集めることとなり、却って対象魚を散らす結果となる。したがって、ボイル釣法においては、浮き上がるボイルオキアミを予め取り除いておくことが非常に重要であり、その除去作業が釣果に大きく影響する。この除去作業は、釣用バケツにボイルオキアミを入れたうえで、ボイルオキアミが完全に浸かるまで海水を注ぎ入れ、そして、浮き上がってきたオキアミを取り除くことで行われる。一方、ボイルオキアミが釣用バケツ内で長時間海水に浸かったままだと、時間が経つにつれてボイルオキアミが水を吸収し過ぎてしまい、海中で沈下しやすくなるという問題が生じる。その反面、完全に水切りをしてしまうと、柄杓で撒き餌を掬い難くなるだけでなく、ボイルオキアミが乾燥し易くなるという問題が生じる。したがって、上記除去作業後に釣用バケツ内の海水を水切りする際は、釣用バケツ内に適量の海水を残すようにして行われる。しかしながら、釣用バケツ内の海水の量を確認しながら排水するためには、上述したように、水切り作業を行う度に蓋を開け閉めしなければならず、その作業はきわめて煩わしい。
【００１０】
また、ボイル釣法においては、釣用バケツ内のボイルオキアミが減少すると、釣用バケツ内の海水の量がボイルオキアミの量に対して相対的に増加する。この場合、釣人は、ボイルオキアミの過度の吸水を避けるため、過剰分の海水を排出しなければならない。しかしながら、海水を排出する水切り作業は、蓋を開け閉めしつつ、釣用バケツ内の撒き餌及び海水の量の状態を確認しながら行わなければならないため、釣人は、一旦釣り操作を中断せざるを得ないという問題が生じる。
【００１１】
そこで、本発明は上記事情に鑑みてなされたものであり、その目的とするところは、
魚釣りに用いられる釣餌と海水を収容した状態で、バケツ本体の内部の状態を確認しながら海水のみを容易に排出することができる釣用バケツを提供することにある。
【課題を解決するための手段】
【００１２】
(1) 上記目的が達成されるため、本発明に係る釣用バケツは、上面に第１開口を有し、釣餌及び海水を収容し得るバケツ本体と、上記第１開口の周縁部の一部にヒンジを介して結合され、該第１開口を開閉する第１蓋部材とを備えて構成されている。上記第１蓋部材は、上記バケツ本体に収容された釣餌及び海水のうち海水のみを通過させる通水部を有し、また、該通水部は、少なくとも上記ヒンジの近傍に配置されている。
【００１３】
魚釣りに用いられる巻き餌はバケツ本体に収容される。このバケツ本体に対して第１蓋部材が閉じられることによってバケツ本体の第１開口が閉塞され、第１蓋部材が開けられることによって当該第１開口が開放される。第１蓋部材は、バケツ本体とヒンジを介して結合されている。このヒンジを基準にして第１蓋部材は開閉される。第１蓋部材には、バケツ本体に収容された釣餌及び海水のうち海水のみを通過させる通水部が設けられている。この通水部は、第１蓋部材において、ヒンジの近傍に設けられている。したがって、釣人は、仮に第１蓋部材が閉じられていても、ヒンジ側を下にしてバケツ本体を傾けることにより、バケツ本体に溜まった海水のみを排出することができる。
【００１４】
一方、実釣においては、釣用バケツは、第１開口の一部分、すなわち、第１開口のうちの上記ヒンジが設けられた側と反対側の部分を開放した状態で使用されることがある。このような場合であっても、本釣用バケツでは、通水部がヒンジの近傍に設けられているため、釣人は、バケツ本体を上述のように傾けるだけで、第１蓋部材を開け閉めするという煩雑な作業をすることなく海水のみを排出することができる。そのため、釣人は、釣り操作を中断することなく、水切り作業を行うことができる。また、内部の撒き餌の状態や海水量を開放された第１開口の一部を通じて目視で確認しながら水切りすることができるため、バケツ本体内の海水を捨て過ぎたり、逆に、排水不足となることが防止される。
【００１５】
なお、通水部が、ヒンジの近傍ではなく、第１蓋部材におけるヒンジの取付位置とは反対側の端部の近傍に設けられているとすると、第１蓋部材で第１開口を全て閉じなければ、海水のみを排出するという水切り作業を行うことはできない。仮に、第１開口の一部を開口するには、第１蓋部材及びヒンジの機構上、第１開口のうち、ヒンジとは反対側の部分から開けなければならない。この場合、海水のみならず、バケツ本体に収容された釣餌も海水と共に排出されるという不具合が生じる。これに対し、本釣用バケツにおいては、通水部は上記ヒンジの近傍に配置されている。そのため、上述したように、第１開口のうち上記ヒンジが設けられた側と反対側の部分を開放した状態で水切り作業を行っても、海水のみが排出されて、釣餌は排出されない。
【００１６】
(2)ここで、上記第１蓋部材は、スライドファスナーを介して上記第１開口の周縁部に連結されていることが望ましい。
【００１７】
このようなファスナーが設けられておれば、バケツ本体の第１開口の一部を容易に開放することができる。
【００１８】
(3)上記通水部は、上記第１蓋部材に複数の貫通孔が設けられることにより構成されているものが考えられる。
【００１９】
この構成であれば、第１蓋部材に貫通孔を形成するといった簡単な加工によって通水部を容易に実現することができる。なお、貫通孔のサイズは、巻き餌として用いられるオキアミなどが通り抜けることができない程度に予め設計されている。
【００２０】
(4)また、上記通水部は、上記第１蓋部材に設けられ、釣餌及び海水を排出し得る第２開口と、上記第２開口を封止する通水性シート材とを備えているものであってもよい。
【００２１】
この構成であっても、通水部を容易に実現することができる。また、異なる通水特性を有する複数のシート材を予め準備しておけば、使用される餌のサイズに応じて複数種のタイプの釣用バケツを具現化することができ、好適である。
【００２２】
(5)この場合、上記通水性シート材は、釣餌及び海水のうち海水のみを通過させるメッシュ構造若しくはスリット構造を備えているものであることが好ましい。
【００２３】
このようなシート材を用いれば、メッシュの目の大きさやスリットの間隔を変えるなどすることで、多種多様な通水特性を有するシート材を容易に実現することができる。
【００２４】
(6)また、上記第１蓋部材に設けられ、上記第２開口を開閉する第２蓋部材を更に備えている構成が考えられる。
【００２５】
このように、第２蓋部材が設けられているため、第２開口から波しぶきや雨水、或いは直射日光が進入することが防止される。これにより、撒き餌の状態変化が抑制されるため、撒き餌を釣人の所望する状態に長時間維持することができる。
【００２６】
(7)この場合、上記第２蓋部材の外側の面における上記ヒンジ側の端部付近に設けられた第１係合部と、上記第１蓋部材の外側の面における上記ヒンジと対向する側の端部付近に設けられ、上記第１係合部と係合解除可能に係合し得る第１被係合部と、上記第１蓋部材の内側の面における中央部付近に設けられ、上記第１係合部と係合解除可能に係合し得る第２被係合部とを更に備えていることが好ましい。
【００２７】
一般に、釣人は、釣用バケツに撒き餌を収容し、その撒き餌を柄杓で掬って所望のポイントへ投げ入れる。例えば、釣用バケツ内に多量の撒き餌が収容されている場合は、柄杓をバケツ本体の奥底まで挿入せずとも撒き餌を掬うことができる。この場合は、バケツ本体の第１開口はそれほど開放されていなくても良い。一方、撒き餌の量が減ってくると、柄杓をバケツ本体の奥底まで挿入して掻き上げなければ撒き餌を掬えない。この場合は、第１開口が全開されているほうが操作し易いと考えられる。もちろん、常に第１開口を全開にしておくと撒き餌の掬い上げ操作は容易となるが、気象状態によっては撒き餌の状態を変化させることになるため、好ましくない。
【００２８】
したがって、釣用バケツにおいては、バケツ本体の第１開口の開放状態を任意に変更することができることが望ましいと考えられる。本発明の釣用バケツでは、第１係合部に第１被係合部を係合することにより、バケツ本体の第１開口を略半分だけ開放することができる。また、第１蓋部材を巻くなどして第１係合部に第２被係合部を係合することにより、バケツ本体の第１開口を半分以上開放することができる。
【００２９】
(8)ここで、上記第２蓋部材の上記ヒンジ側の端部から延出された舌状片と、上記舌状片の先端部に設けられた第２係合部と、上記バケツ本体の上記ヒンジ側の側面に設けられ、上記第２係合部と係合解除可能に係合し得る第３被係合部とを更に備えたものであってもよい。
【００３０】
このような構成であれば、舌状片に設けられた第２係合部を第３被係合部に係合することで、第２蓋部材を固定することができる。これにより、風などによって第２蓋部材がめくれ上がったり暴れたりすることがなくなる。
【００３１】
(9)また、上記第１係合部及び第２係合部は、スタッド部を有する雄ボタンまたは該スタッド部と係合するソケット部を有する雌ボタンのうちいずれか一方であり、上記第１被係合部、第２被係合部及び第３被係合部は、スタッド部を有する雄ボタンまたは該スタッド部と係合するソケット部を有する雌ボタンのうちいずれか他方であることが望ましい。
【００３２】
この構成によれば、きわめて簡単に係合部及び被係合部が構成される。なお、このような雄ボタン及び雌ボタンの典型としては所謂ドットボタンが該当する。
【００３３】
(10)上記第１係合部及び第２係合部と、上記第１被係合部、第２被係合部及び第３被係合部とは、それぞれ異なる色に着色されていることが好ましい。
【００３４】
本発明の釣用バケツは、従来品よりも多数の係合手段が設けられているから、或る係合部に対して係合可能な被係合部を一見して見つけ出すことが困難な場合もあり得る。ところが、上述の如く係合部と被係合部とを色分けすることにより、釣人は係合可能な一対の係合部及び被係合部を容易に認識することができる。
【００３５】
(11)上記バケツ本体において上記ヒンジが設けられた側の側面に対向する側面の外側に、把手が設けられていることが好ましい。
【００３６】
撒き餌が収容されたバケツ本体は比較的重く、海水などでぬれた手では釣用バケツを容易に傾けることはできない。上述のように、ヒンジが設けられた側の側面と対向する側面の外側、すなわち、排水する際に持ち上げられる側の側面に把手を設けることで、釣人は把手を持って上方へ持ち上げることで釣用バケツを容易に傾斜させることができる。
【発明の効果】
【００３７】
本発明によれば、釣人は、例えば、第１開口のうち、ヒンジ取付位置とは反対側の一部が開放された状態であっても、ヒンジ側を下にしてバケツ本体を傾けることによって、バケツ本体に溜まった海水のみを容易に排出することができる。また、第１開口の一部が開放された状態で水切りができるため、第１蓋部材を開け閉めするという煩雑な作業を要しない。その結果、釣人は、釣り操作を中断することなく、水切り作業を行うことができる。また、バケツ本体内の撒き餌の状態や海水量を開放された部分から目視で確認しながら水切りすることができるため、バケツ本体内の海水を捨て過ぎたり、逆に、排水不足となることが防止される。
【発明を実施するための最良の形態】
【００３８】
以下、適宜図面が参照されつつ、好ましい実施形態に基づいて本発明が詳細に説明される。
【００３９】
《第１の実施形態》
図１及び図２は本発明の一実施形態に係る釣用バケツ１の斜視図であり、図１は、把手６０が取り付けられた側面２６から見た斜視図、図２は、シート片７０が取り付けられた側面２７から見た斜視図である。この釣用バケツ１は、例えば、釣り道具を収容するための容器、或いは釣れた魚を生かしておくための生け簀として用いることが可能であるが、主として、釣りの際に用いられる撒き餌と称される釣餌を収容するための容器として使用される。以下、釣用バケツ１の構成について詳述される。
【００４０】
釣用バケツ１は、図１及び図２が示すように、バケツ本体１０と、該バケツ本体１０の上面に設けられた上蓋１１（本発明の第１蓋部材に相当）とを備えている。
【００４１】
バケツ本体１０は、略直方体形状に形成されており、その上面を開放する開口１７（本発明の第１開口に相当、図７参照）を有する容器形状を呈する。このバケツ本体１０に、撒き餌などの釣餌や海水などが収容される。そのため、バケツ本体１０は、防水構造を備えている。バケツ本体１０のサイズは、一般に撒き餌として多用される冷凍オキアミや冷凍ボイルオキアミのブロックが収容可能なサイズに設定されており、例えば、長径が３０ｃｍから５０ｃｍ程度のものとする。もちろん、このようなサイズに限定されることはなく、本発明は多様なサイズの釣用バケツに適用され得る。
【００４２】
バケツ本体１０は、矩形の平板状の底面部１４と、この底面部１４の周縁に立設された側壁部１５とを備えている。底面部１４及び側壁部１５は、シート状の合成樹脂から構成されている。合成樹脂としては、例えば、エチレン酢酸ビニル共重合体（ＥＶＡ）が好適に採用される。底面部１４の肉厚寸法は、０．７５ｍｍ〜２．０ｍｍ程度に設定され、側壁部１５の肉厚寸法も、０．７５ｍｍ〜２．０ｍｍ程度に設定され得る。側壁部１５は、シート状の合成樹脂が筒状に形成されており、その下端が上記底面部１４の周縁部に溶着されることによってバケツ本体１０が形成されている。これにより、バケツ本体１０の上面に底面部１４と略同じ形状で同じサイズ、すなわち、矩形の開口１７（図７参照）が形成される。このように開口１７が矩形に形成されることによって、バケツ本体１０の剛性が向上し、釣用バケツ１の使い勝手が向上する。
【００４３】
側壁部１５の上端部１６（図７参照）は、バケツ本体１０の外側に折り返されており、所定位置において当該側壁部１５の外面に溶着されている。上記側壁部１５の上端部１６は、バケツ本体１０の周囲全体にわたって連続して溶着されていてもよいし、間欠的に溶着されていてもよい。また、本実施形態では、上記側壁部１５の上端部１６は、図示しない芯材に巻き掛けられている。この芯材は、環状に形成されており、上記開口１７（図７参照）の周縁部に沿って配置されている。換言すれば、上記芯材が上記開口１７を区画している。上記芯材は、例えばステンレススチールから構成され得る。この芯材が設けられることにより、バケツ本体１０の開口１７の周縁部の剛性が向上し、その結果、釣用バケツ１が釣餌の容器として一層使い易いものとなる。
【００４４】
図１及び図２が示すように、バケツ本体１０は一対の把手２２，２３を備えている。把手２２は、バケツ本体１０の長辺を含む一方の側面２４に設けられ（図１参照）、把手２３は、側面２４に対向する側面２５に設けられている（図２参照）。把手２２は、取付ステー１２を介してバケツ本体１０の側面２４に取り付けられている。また、把手２３は、取付ステー１３を介してバケツ本体１０の側面２５に取り付けられている。これら把手２２，２３は、バケツ本体１０と同じ素材のエチレン酢酸ビニル共重合体（ＥＶＡ）、或いはポリエチレン等の合成樹脂により形成することができる。
【００４５】
図３は、取付ステー１２の拡大斜視図である。同図では、バケツ本体１０の側面２４に設けられた取付ステー１２が図示されているが、バケツ本体１０の側面２５に設けられた取付ステー１３も同様の形状である。そのため、取付ステー１３についての詳細な説明は省略される。
【００４６】
図１及び図３が示すように、取付ステー１２は、バケツ本体１０の側面２４に固定されるベース部３０と、このベース部３０の中央部に形成されたブリッジ部３１と、このブリッジ部３１の両側方にそれぞれ形成された軸受部３２とを備えている。この取付ステー１２は合成樹脂からなり、例えば射出成型されることによって上記ベース部３０、ブリッジ部３１及び軸受部３２が一体に形成される。取付ステー１２は、シート状の合成樹脂で形成されている。この合成樹脂としては、例えば、バケツ本体１０と同じ素材、具体的には、エチレン酢酸ビニル共重合体（ＥＶＡ）が好適に採用される。なお、本実施形態では、取付ステー１２が射出成型などにより一体に形成されることととしたが、もちろん、上記ベース部３０、ブリッジ部３１及び軸受部３２が別々に形成されて、それぞれが組み付けられることで取付ステー１２が構成されてもよい。
【００４７】
上記ベース部３０は、横長矩形の平板状に形成されている。このベース部３０は、側面２４に溶着などによって取り付けられる。ブリッジ部３１は、扁平したＵ字状に形成されており、ベース部３０から外方向、つまり、側面２４に垂直な方向に突出している。このため、ブリッジ部３１とベース部３０との間に一定の高さの空間が形成される。釣人は、このブリッジ部３１に、タオルやコマセカッター、サシエケース、柄杓ホルダ等を引っ掛けて、これら各道具を便利良く使用する。軸受部３２は、上記ブリッジ部３１の両側方にそれぞれ設けられている。この軸受部３２は、ベース部３０から外方向、つまり、側面２４に垂直な方向に突出している。軸受部３２には、ベース部３０の長手方向に沿って円筒状の軸孔３４が形成されている。これら軸受部３２は、後述される把手２２の軸４６（図４参照）を回動自在に支持する。
【００４８】
ベース部３０における軸受部３２の下方には、当該軸受部３２に連続するようにして切欠３３が形成されている。この切欠３３が設けられることにより、軸受部３２の下側部分がベース部３０から離れるように変形することができる。軸受部３２の下側部分がベース部３０から離れるように変形した状態で、軸受部３２の下側から上記把手２２の軸４６（図４参照）が挿入されることにより、軸受部３２を外方へ広げつつ軸４６が軸孔３４へ案内される。これにより、軸４６が軸孔３４に嵌め込まれる。このようにして把手２２の軸４６が軸受部３２に嵌め込まれた後に、軸受部３２がバケツ本体１０に溶着される。これにより、把手２２は、取付ステー１２に対して回動自在な状態で取り付けられる。
【００４９】
図４は、把手２２の斜視図である。同図では、バケツ本体１０の一方の側面２４に取り付けられる把手２２が図示されているが、他方の側面２５に取り付けられる把手２３も略同様の形状である。そのため、把手２３についての詳細な説明は省略される。なお、把手２２に後述する連結具５０が設けられているのに対し、把手２３には連結具５０が設けられていない点においてのみ両者は相違する。
【００５０】
同図が示すように、把手２２は全体として略Ｕ字形状を呈している。この把手２２は、略Ｕ字状に湾曲された湾曲部４０と、該湾曲部４０の両端からそれぞれ平行に延出されたアーム部４１とを備えて構成されている。把手２２は、上記取付ステー１２と同様に合成樹脂からなり、例えば射出成形されることによって形成される。なお、合成樹脂としては、例えば、エチレン酢酸ビニル共重合体（ＥＶＡ）が好適に採用される。
【００５１】
湾曲部４０には、略丸棒状の把持部４３が設けられている。釣人は、この把持部４３を把持して釣用バケツ１を持ち運びすることができる。アーム部４１の端部４２は、平板状に形成されている。これら各端部４２それぞれの先端に、円柱状の軸４６が形成されている。
【００５２】
各端部４２の先端は、それぞれ、フォーク状に形成されている。各軸４６は、各端部４２の先端同士を連結して上記把持部４３と略平行な方向に延びている。換言すれば、各端部４２の先端は、それぞれ、肉抜きされた空間４４を有し、各軸４６は、この空間４４に架け渡すように配置されている。この空間４４が形成されることにより、各軸４６が上記軸受部３２に容易に嵌め込まれる。また、各端部４２は、所定部位４５において屈曲されている。このように各端部４２が屈曲されていることにより、図１が示すように、把手２２が上方へ回動起立された状態で上記把持部４３が釣用バケツ１の上方中央に配置されることになる。なお、上記所定部位４５は、把手２２が上方へ回動起立されたときにバケツ本体１０の上端部（側壁部１５の上端部１６）に当接する位置に概ね設定されている。
【００５３】
把手２２のアーム部４１には、把手２２が上方へ回動起立された状態で他方の把手２３と連結するための連結具５０が設けられている。この連結具５０は、図４が示すように、合成樹脂で形成された短冊状のシート５１と、互いに係合解除可能に構成された一対のドットボタンとを有する。ドットボタンは、雄ボタン５２と雌ボタン５３とを有する。連結具５０は、図４が示すように、上記シート５１の一方端がアーム部４１に巻き付けられることによりアーム部４１に取り付けられている。具体的には、アーム部４１に巻き付けられて折り返されたシート５１の一方端がシート５１に重ねられた状態で、雌ボタン５３と該雌ボタン５３を留める留め具（不図示）とによってその重合部分がひとまとめに固定されている。シート５１の先端には、留め具で留められた雄ボタン５２が設けられている。
【００５４】
ドットボタンを構成する雄ボタン５２及び雌ボタン５３は既知の構造である。つまり、雄ボタン５２はスタッド部を備え、雌ボタン５３はソケット部を備えており、スタッド部がソケット部に嵌め込まれることによって、両者は、所定の嵌合力で係合する。そして、この所定の嵌合力に抗して雄ボタン５２と雌ボタン５３との嵌合を解除する力が作用した場合は、両者の係合は解除される。
【００５５】
このような連結具５０が把手２２に設けられているため、図１が示すように、把手２２及び把手２３が上方へ回動起立されたときは、各把手２２，２３を一つにまとめて縛ることができる。すなわち、シート５１の自由端側を把手２３のアーム部４１に巻き付けて折り返した後に、雄ボタン５２と雌ボタン５３とを係合することで、各把手２２，２３を一つにまとめて結束することができる。これにより、２つの把手２２，２３の両方を同時に容易に把持することができるため、釣人は、釣用バケツ１の持ち運びを迅速に行うことができる。
【００５６】
図５は、釣用バケツ１の片側を持ち上げるための把手６０の拡大斜視図である。図１及び図５が示すように、バケツ本体１０の短辺を含む側面２６に、把手６０が取り付けられている。把手６０は、主として、ポリプロピレン（ＰＰ）等の繊維で構成されたベルト６１と、該ベルト６１の中央部分に巻回されたゴムシート６３で構成されている。このゴムシート６３が設けられているため、濡れた手で把手６０を掴んだときの滑りが防止される。
【００５７】
バケツ本体１０の側面２６には、略円形の２つの取付座６２が固定されている。これら取付座６２は、例えば、エチレン酢酸ビニル共重合体（ＥＶＡ）などの合成樹脂で構成されている。取付座６２は、ベルト６１を縫い付けるためのものであり、取付座６２の周縁が溶着されることにより側面２６に固定される。図５が示すように、取付座６２には、二重折りにされたベルト６１の両端が縫い付けられる。このように取付座６２にベルト６１が縫い付けられて把手６０が側面２６に取り付けられるため、バケツ本体１０に縫い孔が空くことがない。そのため、バケツ本体１０の防水性が保たれる。なお、上記把手６０が設けられたことによる作用効果については後述する。
【００５８】
図１及び図２が示すように、上蓋１１は、バケツ本体１０の上面に形成された開口１７（図７参照）を覆うようにして取り付けられている。そのため、上蓋１１は、開口１７に相応した形状に形成されている。上蓋１１は、開口１７を開閉するものであり、開口１７を開放する状態と該開口１７を閉塞する状態とに姿勢変化される。この上蓋１１は、上記バケツ本体１０と同様にシート状の合成樹脂から構成されている。合成樹脂としては、例えば、エチレン酢酸ビニル共重合体（ＥＶＡ）が好適に採用される。
【００５９】
図２が示すように、上蓋１１は、開口１７の周縁部、すなわち、側壁部１５の上端部に、合成樹脂などのシート片７０（本発明のヒンジに相当）によって取り付けられている。言い換えれば、上蓋１１とバケツ本体１０とはシート片７０によって結合されている。本実施形態では、把手６０が取り付けられた側面２６に対向する側面２７の上端部の略中央部において、上蓋１１とバケツ本体１０とがシート片７０によって結合されている。このシート片７０は、該シート片７０の上端側が上蓋１１の端部に縫い付けられることで固定されており、該シート片７０の下端側が側面２６の上端部に縫い付けられることで固定されている。このように、上蓋１１とバケツ本体１０とが結合されることにより、シート片７０を回動軸として、上記バケツ本体１０の開口１７に対して上蓋１１が回動可能となる。したがって、上記シート片７０は、上記バケツ本体１０の開口１７に対して上蓋１１を回動可能にするヒンジとしての役割を果たす。なお、本実施形態では、シート片７０を縫い付けることで上蓋１１とバケツ本体１０とを結合することとしたが、溶着或いは接着によりそれぞれを結合してもよい。
【００６０】
図６が示すように、バケツ本体１０の側面２７には、雌ボタン７６（本発明の第３被係合部材に相当）が設けられている。詳細には、この雌ボタン７６は、側面２７に固定された取付座７７に設けられている。図１０に、バケツ本体１０の側面２７の拡大斜視図を示す。同図（ａ）は、雌ボタン７６の非係合状態を示す図であり、同図（ｂ）は、雌ボタン７６の係合状態を示す図である。図１０が示すように、取付座７７は、合成樹脂で形成された短冊状のシート７８からなる。このシート７８がＵ字形状に撓まされた状態で両端が側面２７に溶着されることで取付座７７が形成される。このような取付座７７に雌ボタン７６が設けられている。そのため、雌ボタン７６は取付座７７が撓む範囲で移動可能である。雌ボタン７６は、後述される舌状シート８１（図１０（ｂ）参照）に設けられた雄ボタン８２と対をなしてドットボタンを構成するものである。具体的には、雌ボタン７６はソケット部を備えており、雄ボタン８２のスタッド部がソケット部に嵌め込まれることによって、該雄ボタン８２と係合する。上述の如く、取付座７７が撓む範囲で雌ボタン７６は移動可能であるため、雄ボタン８２を雌ボタン７６に係合する際の位置合わせの自由度が向上する。
【００６１】
図１及び図２が示すように、上蓋１１は、スライドファスナー（以下「ファスナー」と略称される。）７１を介して開口１７（図７参照）の周縁部に連結されている。ファスナー７１の基端及び終端は、シート片７０の裏側に収められており、シート片７０と共に側面２７の上端部に縫い付けられている。ファスナー７１は、図１が示すように、２つのスライダー７２を有する。それぞれのスライダー７２が、シート片７０の両端を起点として互いに近づく方向へスライドされることにより、上蓋１１とバケツ本体１０とが連結される。また、スライダー７２それぞれが互いに離反する方向へスライドされることで、連結が解除されて、バケツ本体１０の開口１７が開放可能となる。なお、各スライダー７２には、引き手７３が取り付けられており、更にこの引き手７３には、伸縮可能な環状のゴム紐７４が取り付けられている。そのため、スライダー７２の操作性が高められ、釣人は、スライダー７２を容易に操作することができる。
【００６２】
本発明は、上記上蓋１１の構造に関するものであり、バケツ本体１０に収容された釣餌及び海水のうち、海水のみを通過させるメッシュ開口９２（本発明の通水部に相当、図６参照）が上蓋１１に設けられている点に特徴を有する。以下、上蓋１１の構成とともに、上記メッシュ開口９２の具的的構成について詳細に説明される。
【００６３】
図６は、メッシュ開口９２が開放された状態における釣用バケツ１の斜視図である。図１、図２及び図６が示すように、上蓋１１は、大別すると、蓋本体９０と、メッシュシート９１（図６参照）とを有して構成されている。
【００６４】
蓋本体９０は、バケツ本体１０と同じ素材の合成樹脂で形成されたシート状の部材であり、適度な可撓性と弾性を有する。この蓋本体９０は、開口１７（図７参照）に相応して、該開口１７と略同じ長方形状に形成されている。蓋本体９０の外側の面（外面）９３には、該蓋本体９０の各短辺の中点を通る直線上に２つのボタンが配置されている。具体的には、図１及び図２が示すように、シート片７０側の端部付近に雄ボタン９５（本発明の第１係合部に相当）が設けられ、シート片７０と対向する側の端部、すなわち、把手６０側の端部付近に雌ボタン９６（本発明の第１被係合部に相当）が設けられている。これら各ボタン９５，９６は、内側の面９４（内面）から蓋本体９０を貫通して各ボタン９５，９６を外側の面９３に圧着する留め具９７（図６、図７参照）によって該蓋本体９０に固定されている。
【００６５】
また、図７が示すように、蓋本体９０の内側の面９４の中央部付近、詳細には、雄ボタン９５と雌ボタン９６との中間点より若干把手６０側の位置に、雌ボタン９８（本発明の第２被係合部に相当）が設けられている。この雌ボタン９８は、図１及び図２が示すように、外側の面９３から蓋本体９０を貫通して該雌ボタン９８を内側の面９４に圧着する留め具９７によって該蓋本体９０に固定されている。
【００６６】
雄ボタン９５と雌ボタン９６は互いに係合解除可能に構成されたドットボタンである。また、雄ボタン９５と雌ボタン９８（図７参照）も互いに係合解除可能に構成されたドットボタンである。これらのボタンは既知の構造を有する。具体的には、雄ボタン９５はスタッド部を備え、雌ボタン９６，９８はソケット部を備えており、スタッド部がソケット部に嵌め込まれることによって、両者は所定の嵌合力で係合する。そして、この所定の嵌合力に抗して雄ボタン９５と雌ボタン９６，９８との嵌合を解除する力が作用した場合は、両者の係合は解除される。
【００６７】
なお、本実施形態では、雄ボタン９５の色と、雌ボタン９６，９８の色とを異なる色に設定している。例えば、雄ボタン９５を黒色に、雌ボタン９６，９８を白色とすることが考えられる。本釣用バケツ１では、蓋本体９０に複数のボタンを配設している。この場合、係合可能な対となるボタンを見分けるのが困難な場合がある。したがって、上述のごとく、互いに係合可能な対となるボタンの色をそれぞれ異ならせることで、一見して、係合可能なボタンを見分けることができる。
【００６８】
図２が示すように、蓋本体９０のシート片７０側の端部には、蓋本体９０を側面２７に固定するための固定具８０が設けられている。この固定具８０は、蓋本体９０のシート片７０側の端部の中央から外方向に延出された舌状シート８１（本発明の舌状片に相当）と、該舌状シート８１の先端部に設けられた雄ボタン８２とを有する。上記舌状シート８１は、合成樹脂で形成された短冊状のシート部材であり、可撓性を有する。舌状シート８１の長さは、開口１７（図７参照）が上蓋１１で閉塞された状態において、蓋本体９０のシート片７０側の端部から側面２７に設けられた雌ボタン７６（図１０参照）に届くように設定されている。雄ボタン８２は、雌ボタン７６と対をなしてドットボタンを構成するものである。具体的には、雄ボタン８２はスタッド部を備えており、雌ボタン７６のソケット部にスタット部が嵌め込まれることによって、雌ボタン７６と係合する。図２及び図１０（ｂ）が示すように、雄ボタン８２と雌ボタン７６とが係合することで、蓋本体９０が側面２７に固定される。
【００６９】
図１及び図６が示すように、蓋本体９０の内側の面９４に、矩形状に形成されたメッシュシート９１（本発明の通水性シート部材に相当）の一端が溶着などによって接合されている。具体的には、図６が示すように、蓋本体９０を長辺方向に略均等に分断する中心線１０２に沿ってメッシュシート９１の端部が接合されている。メッシュシート９１の接合手法としては、溶着、縫い付け、接着剤などによる接着など、種々の方法が採用可能である。メッシュシート９１は、開口１７（図７参照）のシート片７０側の半分を覆うものである。そのため、メッシュシート９１は、開口１７の半分のサイズに相応して形成されている。メッシュシート９１は、メッシュ構造を有している。したがって、該メッシュシート９１は、通水性を備えている。このメッシュシート９１は、例えば、綿糸やナイロン糸などで格子状に編まれたコア部材に、ポリ塩化ビニル（ＰＶＣ）等の樹脂やラバー等がコーティングされることにより形成される。メッシュシート９１の生地目（メッシュ目）は、海水が通り抜け、かつ、オキアミなどの撒き餌（釣餌）が通り難いサイズに設定されている。メッシュシート９１のメッシュ目のサイズは特に限定されないが、本実施形態では、撒き餌としてオキアミを使用した場合に該オキアミの通り抜けを効果的に防ぐため、メッシュシート９１のメッシュ目は、約３．５ｍｍ×４．５ｍｍに設定されている。
【００７０】
本実施形態では、通水性シート部材として上記メッシュシート９１が例示されたが、このメッシュシート９１に代えて、例えば、スリット構造のシート部材を適用することも可能である。もちろん、オキアミなどの釣餌を通さず、海水のみを通すような性質を有するシート部材であれば、如何なるものでも通水性シート部材として用いることができる。
【００７１】
また、本実施形態では、メッシュシート９１は、開口１７（図７参照）のシート片７０側の半分を覆うものとして説明されるが、例えば、これよりも少ない領域を覆うものであってもよい。更にまた、図６が示すように、メッシュシート９１は、開口１７の短辺方向の全域を覆うものとしたが、例えば、シート片７０のいずれか一方のコーナーを覆うようなものであってもよい。要するに、ヒンジとして機能するシート片７０の近傍にメッシュシート９１が設けられていればよい。
【００７２】
上述したように、上蓋１１は、ファスナー７１を介して開口１７（図７参照）の周縁部に連結されている。開口１７の周縁部に対する上蓋１１の連結方法は、蓋本体９０を長辺方向に略均等に分断する中心線１０２から把手６０側の半分の領域１００と、シート片７０側の半分の領域１０１との間で異なっている。具体的には、図６が示すように、上蓋１１における上記領域１００では、蓋本体９０の周縁がファスナー７１を介して開口１７の周縁部に連結されている。他方、上蓋１１における上記領域１０１においては、シート片７０側の蓋本体９０は、開口１７の周縁部に連結されていない。したがって、上蓋１１における上記領域１０１には、実質的に開口が形成されることになる。かかる開口が、本発明の第２開口に相当する。
【００７３】
上蓋１１における上記領域１０１では、メッシュシート９１の周縁がファスナー７１を介して開口１７の周縁部に連結されている。したがって、上記領域１０１に形成された本発明の第２開口に相当する上記開口は、メッシュシート９１によって封止される。上述したように、蓋本体９０のシート片７０側の部分（上記領域１０１に対応する部分）はいずれの箇所にも連結されていないため（図２、図６参照）、蓋本体９０のシート片７０側の部分は、中心線１０２を回動軸として自由に回動変位することができる。そして、かかる蓋本体９０がメッシュシート９１の上方に配設されることになる。なお、メッシュシート９１の上方に配設される蓋本体９０のシート片７０側の部分が、本発明の第２蓋部材に相当する。
【００７４】
このように上蓋１１が開口１７の周縁部にファスナー７１を介して連結されているため、ファスナー７１が閉じられた状態であっても、上記領域１０１は、メッシュシート９１を介してバケツ本体１０の内部と外部とが通水可能に連通することになる。なお、上述の如く、上記領域１０１がメッシュシート９１で覆われることで、本発明の通水部に相当するメッシュ開口９２（図６参照）が具体的に実現される。かかるメッシュ開口９２が設けられることによる作用効果については後述される。
【００７５】
本実施形態に係る釣用バケツ１は、主として、オキアミなどの撒き餌を適量の海水とと共に収容する容器として使用される。釣人は、釣餌と適量の海水とを釣用バケツ１に入れて撒き餌として使用する。実釣中は、柄杓を用いて釣用バケツ１から撒き餌を掬い出して所定のポイントへ投げ入れる。したがって、釣人は、実釣中において、撒き餌の投入操作を素早く行うために、上面の開口１７（図７参照）を開放させた状態にして釣用バケツ１を使用する。本釣用バケツ１では、開口１７が開放されたときに上蓋１１を束ねて固定する手法として３つの固定態様を採用することができる。この３つの態様ごとに開口１７の開放面積は異なる。したがって、釣人は、上蓋１１の固定方法を異ならせるだけで、開口１７の開き具合を所望する状態にすることができる。以下、図７から図９を参照して、上蓋１１の固定態様について説明される。ここに、図７は、開口１７の把手６０側が概ね半分程度開放された状態（以下「半開状態」と称される。）を示す斜視図、図８は、開口１７の把手６０側が約８割程度開放された状態（以下「八割開状態」と称される。）を示す斜視図、図９は、開口１７が全て開放された状態（以下「全開状態」と称される。）を示す斜視図である。
【００７６】
まず、図７が示す上記半開状態について説明する。ファスナー７１が閉じられて開口１７が上蓋１１で閉塞された状態（図２参照）から、スライダー７２を互いに離反する方向にスライドさせる。そして、上蓋１１の長辺方向の中心付近の位置まで各スライダー７２を移動させる。これにより、ファスナー７１による連結が解除されて、開口１７の把手６０側の半分を開放することが可能となる。続いて、把手６０側の蓋本体９０を引き上げて、蓋本体９０の中心線１０２で折り曲げるようにして、該蓋本体９０をシート片７０側へ反転させる。これにより、開口１７が半開状態となる。このとき持ち手を離すと、反転された蓋本体９０は、該蓋本体９０の復元力によって開口１７を塞ぐ方向に回動する。上記半開状態を維持したまま釣用バケツ１を使用する場合は、蓋本体９０の把手６０側の端部に設けられた雌ボタン９６をシート片７０側の端部に設けられた雄ボタン９５に位置合わせうえで、それぞれを係合する。これにより、図７が示すように、釣用バケツ１の開口１７を半開状態に維持することができる。このような半開状態は、例えば、晴天時の実釣において撒き餌の乾燥を抑制したい場合や、悪天候時の実釣において雨水の浸入を抑えたい場合に好適である。なお、上記半開状態や、以下に説明される八割開状態、全開状態において共通することであるが、固定具８０は側面２７の雌ボタン７６に固定しておく必要がある。固定具８０による固定が解除されると、蓋本体９０がフリーとなるため、使い勝手が悪くなる。
【００７７】
次に、図８が示す上記八割開状態について説明する。開口１７を八割開状態にするためには、図７が示す上記半開状態から、まず、雌ボタン９６と雄ボタン９５との係合を解除する。そして、上記半開状態から更にスライダー７２をシート片７０に近づく方向にスライドさせる。これにより、ファスナー７１による連結が更に解除される。開口１７が八割程度開放することができる位置までスライダー７２をスライドさせると、続いて、蓋本体９０を把手６０側の端部から巻き上げる。徐々に蓋本体９０を巻き上げていくと、蓋本体９０の内側面９４に設けられた雌ボタン９８が表面に現れる。この雌ボタン９８を雄ボタン９５に位置合わせうえで、それぞれを係合すると、図８が示すように、釣用バケツ１の開口１７を八割開状態に維持することができる。このような八割開状態は、例えば、実釣中に撒き餌が減少して、半開状態のままでは柄杓で撒き餌を掬い難いような場合に好適である。
【００７８】
次に、図９が示す上記全開状態について説明する。開口１７を全開状態にするためには、図８が示す上記八割開状態から、スライダー７２を更にスライドさせる。スライダー７２がシート片７０の両端までスライドされると、開口１７が全開状態となる。このとき、巻き上げられた蓋本体９０は、バケツ本体１０の上面から側面２７側に押しやられるが、固定具８０によってぶら下げられた状態で保持される。釣人は、場合によってはこのような全開状態での使用を望む場合もあるが、八割開状態と全開状態との切換は、ボタンの係合解除を伴わずに、スライダー７２の操作のみで行うことができるため、釣人の利便がよい。また、全開状態において、上蓋１１は固定具８０で吊られているため、該上蓋１１は地面に着かない。したがって、上蓋１１に土や砂利などが付着することが防止される。また、図９が示すように上蓋１１が巻き上げられた状態で、該上蓋１１をゴム紐７４に通すことで、上蓋１１を確実に固定することができる。これにより、上蓋１１のばたつきが防止される。また、仮に上記固定具８０の係合が解除されたとしても、上蓋１１が地面に落ちることはない。
【００７９】
上述したように、本実施形態に係る釣用バケツ１は、主として、オキアミなどの撒き餌を適量の海水とと共に収容する容器として使用される。釣人は、釣用バケツ１に撒き餌を入れて、釣り場の状況に応じて適用の海水を混ぜる。このとき、不注意に海水を入れ過ぎることがしばしばある。また、急な高波や降雨によって釣用バケツ１内に海水或いは雨水が入りこみ、撒き餌が水浸しとなることもある。本釣用バケツ１は、上蓋１１に、上記メッシュ開口９２が設けられている。したがって、釣人は、シート片７０側を下にして釣用バケツ１を傾けることによって、釣用バケツ１内の海水のみを容易に排水することができる。また、メッシュ開口９２は、ヒンジとして機能するシート片７０側に設けられているため、シート片７０とは反対側が上蓋１１の一部が開放された状態で、海水のみを排水することができる。そのため、釣人は、釣用バケツ１内の海水の量を見計らいながら、釣餌を釣用バケツ１内に残しつつ、海水のみを排水することができる。これにより、釣用バケツ１内の撒き餌の状態や海水量を目視しながら確認することができ、一回の排水作業で適量の排水を実現することが可能となる。
【００８０】
特に、ボイル釣法による実釣中は、前述したように、釣用バケツ１内のボイルオキアミを海水で浸して、浮き上がってくるオキアミを除去する作業が行われる。浮き上がってきたオキアミを除去した後は、適量の海水を残すように海水を排出するか、全ての海水を排出する必要がある。このような排水作業を伴うボイル釣法においては、メッシュ開口９２から海水のみを排出することができる本釣用バケツ１は、釣人にとって利便がよい。
【００８１】
また、ボイル釣法においては、釣用バケツ１内のボイルオキアミが減少すると、釣用バケツ１内の海水の量がボイルオキアミの量に対して相対的に増加する。この場合、釣人は、ボイルオキアミの過度の吸水を避けるため、適宜海水を排出しなければならない。したがって、このように頻繁に排水作業を伴うボイル釣法では、本釣用バケツ１は、操作性及び作業性という観点から好適に利用され得る。
【００８２】
前述したように、本実施形態の釣用バケツ１には、上記側面２６（図１参照）に、把手６０が設けられている。したがって、釣人は、把手６０を掴んで上方へ引き上げるという簡便な操作を行うだけで、釣用バケツ１を容易に傾けることができる。
【００８３】
また、本実施形態では、釣用バケツ１のメッシュ開口９２は、蓋本体９０によって覆われている。したがって、メッシュ開口９２から雨水が浸入することが防止される。また、直射日光が蓋本体９０で遮られるため、釣用バケツ１内の撒き餌の乾燥が防止される。その結果、撒き餌の状態変化が抑制されるので、釣人が所望するベストの状態に撒き餌を長時間維持することが可能となる。また、メッシュ開口９２を覆う蓋本体９０は、固定具８０によって側面２７に固定することが可能であるため、強風により蓋本体９２がめくれ上がったり暴れたりすることがなくなる。
【００８４】
さらに、本実施形態に係る釣用バケツ１は、上蓋１１の固定方法を異ならせることで、開口１７を、前述した半開状態（図６参照）、八割開状態（図７参照）、全開状態（図８参照）の３態様に変化させることができる。したがって、釣人は、天候、撒き餌の量等に応じて、所望する大きさの開口１７を実現することができる。また、上記３態様のうち、いずれの状態であっても、上蓋１１は地面に接触しないように束ねられているため、土や砂利などの付着が防止される。
【００８５】
《第２の実施形態》
以下、図１１が参照されつつ、本発明の第２の実施形態に係る釣用バケツ１１０について説明される。ここに、図１１は、本発明の第２の実施形態に係る釣用バケツ１１０の斜視図である。本実施形態に係る釣用バケツ１１０は、前述した第１の実施形態の釣用バケツ１とは異なり、メッシュ開口９２は設けられておらず、代わりに、上蓋１１のシート片７０側の端部に、上蓋１１を貫通する複数の貫通孔１１１が形成されている。この貫通孔１１１の孔径は、海水が通り抜けることができ、かつ、オキアミなどの撒き餌（釣餌）が通り難いサイズに寸法設計されている。なお、図１１では図示されていないが、貫通孔１１１には、例えばハトメ金具などを圧着させることが好ましい。これにより、貫通孔１１１が補強される。このような貫通孔１１１が上蓋１１に設けられた釣用バケツ１１０であっても、釣人は、釣用バケツ１内の海水の量を見計らいながら排水することができる。これにより、釣用バケツ１内の撒き餌の状態や海水量を目視しながら確認することができ、一回の排水作業で適量の排水を実現することが可能となる。
【図面の簡単な説明】
【００８６】
【図１】図１は、本発明の第１の実施形態に係る釣用バケツ１の斜視図である。
【図２】図２は、本発明の第１の実施形態に係る釣用バケツ１の斜視図である。
【図３】図３は、取付ステー１２の拡大斜視図である。
【図４】図４は、把手２２の斜視図である。
【図５】図５は、把手６０の拡大斜視図である。
【図６】図６は、メッシュ開口９２が開放された状態における釣用バケツ１の斜視図である。
【図７】図７は、開口１７が半開状態にされた釣用バケツ１の斜視図である。
【図８】図８は、開口１７が八割開状態にされた釣用バケツ１の斜視図である。
【図９】図９は、開口１７が全開状態にされた釣用バケツ１の斜視図である。
【図１０】図１０は、バケツ本体１０の側面２７の拡大斜視図であり、（ａ）は、雌ボタン７６の非係合状態を示す図、（ｂ）は、雌ボタン７６の係合状態を示す図である。
【図１１】図１１は、本発明の第２の実施形態に係る釣用バケツ１１０の斜視図である。
【図１２】図１２は、従来の釣用バケツの斜視図である。
【符号の説明】
【００８７】
１・・・釣用バケツ
１０・・・バケツ本体
１１・・・上蓋
１７・・・開口
２４，２５，２６，２７・・・側面
７０・・・シート片
７１・・・スライドファスナー
８０・・・固定具
８１・・・舌状シート  
８２・・・雄ボタン
９０・・・蓋本体
９１・・・メッシュシート
９２・・・メッシュ開口
９３・・・面
９４・・・面
９５・・・雄ボタン
９６・・・雌ボタン
９７・・・留め具
９８・・・雌ボタン
【図１】
0004573807.tif 000002
【図２】
0004573807.tif 000003
【図３】
0004573807.tif 000004
【図４】
0004573807.tif 000005
【図５】
0004573807.tif 000006
【図６】
0004573807.tif 000007
【図７】
0004573807.tif 000008
【図８】
0004573807.tif 000009
【図９】
0004573807.tif 000010
【図１０】
0004573807.tif 000011
【図１１】
0004573807.tif 000012
【図１２】
0004573807.tif 000013